【手続補正書】
【提出日】平成19年4月9日(2007.4.9)
【手続補正１】
【補正対象書類名】特許請求の範囲
【補正対象項目名】全文
【補正方法】変更
【補正の内容】
【特許請求の範囲】
【請求項１】
ネットワークを介してそれぞれ交信可能な無線通信端末と無線資源予約サーバとネットワークサーバとを備え、
前記無線資源予約サーバは、前記ネットワークサーバが提供する路線情報または地図情報と前記無線通信端末の通信方式に適合するアクセスポイントの所在地情報とをもとに前記無線通信端末のアクセスポイントを予約する
ことを特徴とするアクセスポイント予約システム。
【請求項２】
無線通信端末と、アクセスポイントの予約を行う無線資源予約サーバと、少なくとも路線情報または地図情報を提供するＷｅｂサーバと、少なくとも前記アクセスポイントの地理的な位置を示す所在位置情報および前記アクセスポイントのネットワーク上の位置を示すネットワーク位置情報を有するアクセスポイント所在地情報データベースと、前記無線通信端末および前記無線資源予約サーバおよび前記Ｗｅｂサーバおよびアクセスポイント所在地情報データベースを交信可能とするネットワークとを備え、
前記無線資源予約サーバは、前記Ｗｅｂサーバにより提供された路線情報または地図情報の検索結果と前記アクセスポイント所在地情報データベースにより提供された前記無線通信端末の通信方式に適合するアクセスポイントの所在地情報の検索結果とをもとに前記アクセスポイントを予約する
ことを特徴とするアクセスポイント予約システム。
【請求項３】
請求項１または請求項２に記載のアクセスポイント予約システムであって、前記無線資源予約サーバはさらに利用予定時間の情報をもとに前記アクセスポイントを予約する
ことを特徴とするアクセスポイント予約システム。
【請求項４】
請求項１から請求項３までのいずれか１項に記載のアクセスポイント予約システムであって、
前記路線情報に複数の経路候補が含まれる場合には、前記無線資源予約サーバは前記無線通信端末が選択した経路に存在するアクセスポイントを予約する
ことを特徴とするアクセスポイント予約システム。
【請求項５】
請求項１から請求項４までのいずれか１項に記載のアクセスポイント予約システムであって、
前記無線資源予約サーバは前記アクセスポイントに予約申請を行うとともに、前記予約申請の結果を前記無線通信端末に送信することを特徴とするアクセスポイント予約システム。
【請求項６】
請求項５に記載のアクセスポイント予約システムに用いられる無線通信端末であって、
前記無線資源予約サーバから受信した前記予約申請の結果をディスプレイに表示することを特徴とする無線通信端末。
【請求項７】
無線通信端末と、アクセスポイントの予約を行う無線資源予約サーバと、少なくとも路線情報または地図情報を提供するＷｅｂサーバと、前記無線通信端末および前記無線資源予約サーバおよび前記Ｗｅｂサーバを交信可能とするネットワークとを備えた無線通信端末のアクセスポイント予約システムにおいて、
前記無線通信端末が前記Ｗｅｂサーバに対して路線情報または地図情報を検索するとともに予約を申請するステップと、
前記Ｗｅｂサーバが予約候補のアクセスポイントを特定するステップと、
前記Ｗｅｂサーバが前記無線資源予約サーバに対して前記無線通信端末のユーザ認証を行うステップと、
前記ユーザ認証の結果前記無線通信端末のユーザが契約者であることが確認できた場合、
前記無線資源予約サーバが前記予約候補のアクセスポイントを予約するステップと
を有することを特徴とするアクセスポイント予約方法。
【請求項８】
無線通信端末と、アクセスポイントの予約を行う無線資源予約サーバと、前記アクセスポイントの地理的な位置を示す所在位置情報および前記アクセスポイントのネットワーク上の位置を示すネットワーク位置情報を有するアクセスポイント所在地情報データベースと、前記無線通信端末および前記無線資源予約サーバおよび前記アクセスポイント所在地情報データベースを交信可能とするネットワークとを備えたアクセスポイント予約システムに用いられるＷｅｂサーバであって、
前記無線資源予約サーバに予約可能か否かを確認する機能と、
路線情報または地図情報を検索するとともに前記路線情報または前記地図情報の検索結果と前記アクセスポイント所在地情報データベースにより提供されたアクセスポイントのネットワーク位置地情報とに基づき前記無線資源予約サーバにアクセスポイントの予約申請を行う機能と
を有することを特徴とするＷｅｂサーバ。
【請求項９】
無線通信端末と、少なくとも路線情報または地図情報を提供するＷｅｂサーバと、前記アクセスポイントの地理的な位置を示す所在位置情報および前記アクセスポイントのネットワーク上の位置を示すネットワーク位置情報を有するアクセスポイント所在地情報データベースと、前記無線通信端末および前記Ｗｅｂサーバおよびアクセスポイント所在位置データベースとを交信可能とするネットワークとを備えたアクセスポイント予約システムおよび方法に用いられる無線資源予約サーバであって、
前記無線資源予約サーバから予約可能か否かを確認した結果を受信して前記Ｗｅｂサーバに送信する機能と、
前記アクセスポイントを予約する機能と
を有することを特徴とする無線資源予約サーバ。
【請求項１０】
請求項９に記載の無線資源予約サーバであって、
前記アクセスポイントの仮予約を行う機能を有することを特徴とする無線資源予約サーバ。
【請求項１１】
無線通信端末と、アクセスポイントの予約を行う無線資源予約サーバと、少なくとも路線情報または地図情報を提供するＷｅｂサーバと、前記アクセスポイントの地理的な位置を示す所在位置情報および前記アクセスポイントのネットワーク上の位置を示すネットワーク位置情報を有するアクセスポイント所在地情報データベースと、前記無線通信端末および前記無線資源予約サーバおよび前記Ｗｅｂサーバおよび前記アクセスポイント所在地情報データベースを交信可能とするネットワークとを備えたアクセスポイント予約システムに用いられるアクセスポイントであって、
前記無線資源予約サーバから送信された予約申請を受け付ける機能を有することを特徴とするアクセスポイント。
【請求項１２】
請求項１１に記載のアクセスポイントであって、
前記無線資源予約サーバから送信された仮予約申請を受け付ける機能を有することを特徴とするアクセスポイント。
【請求項１３】
請求項１２に記載のアクセスポイントであって、
前記仮予約申請に基づく仮予約は一定時間が経過すると自動的に取り消されることを特徴とするアクセスポイント。
【請求項１４】
アクセスポイントの予約を行う無線資源予約サーバと、少なくとも路線情報または地図情報を提供するＷｅｂサーバと、前記アクセスポイントの地理的な位置を示す所在位置情報および前記アクセスポイントのネットワーク上の位置を示すネットワーク位置情報を有するアクセスポイント所在地情報データベースと、前記無線資源予約サーバおよび前記Ｗｅｂサーバおよび前記アクセスポイント所在地情報データベースを交信可能とするネットワークとを備えたアクセスポイント予約システムに用いられる無線通信端末であって、
前記Ｗｅｂサーバから受信した予約申請結果通知表示するディスプレイを備えたことを特徴とする無線通信端末。
【請求項１５】
ネットワークを介してそれぞれ交信可能な無線通信端末と無線資源予約サーバとネットワークサーバとを備え、前記無線資源予約サーバは、前記ネットワークサーバが提供する路線情報または地図情報とアクセスポイントの所在地情報およびネットワーク的位置情報とをもとに前記無線通信端末のアクセスポイントを予約する
ことを特徴とするアクセスポイント予約システム。